(57)【要約】【課題】ローカル監視制御装置による制御を行っていても、無線通信を継続できる、通信装置及び被監視制御方法を提供する。【解決手段】端末装置による無線通信を中継する通信装置であって、集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信する受信部と、前記ローカル監視制御装置による監視制御中は、前記受信したメッセージのうち、前記第１監視制御用メッセージを破棄するメッセージ管理部とを有する。【選択図】  図６
2018056640.tif 000002
【特許請求の範囲】
【請求項１】
端末装置による無線通信を中継する通信装置であって、
集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信する受信部と、
前記ローカル監視制御装置による監視制御中は、前記受信したメッセージのうち、前記第１監視制御用メッセージを破棄するメッセージ管理部とを有する
通信装置。
【請求項２】
前記メッセージ管理部は、前記ローカル監視制御装置による監視制御中である場合は、前記第１監視制御用メッセージ以外の前記受信したメッセージを破棄せず、前記ローカル監視制御装置による監視制御中でない場合は、前記受信したメッセージを破棄せず、
さらに、前記破棄しないメッセージに応じた処理を実行する処理部を有する
請求項１記載の通信装置。
【請求項３】
前記集中監視制御装置は、複数の通信装置と通信接続し、前記複数の通信装置に対して前記第１監視制御用メッセージを送信する
請求項１記載の通信装置。
【請求項４】
前記集中監視制御装置は、前記複数の通信装置の前記無線通信の中継を制御し、前記無線通信において送受信するメッセージのベースバンド処理を行うベースバンド制御装置である
請求項３記載の通信装置。
【請求項５】
前記メッセージ管理部は、前記ローカル監視制御装置が前記第２ネットワークで通信接続された場合、前記ローカル監視制御装置による監視制御中であると判定する
請求項１記載の通信装置。
【請求項６】
さらに、前記ローカル監視制御装置との通信接続及び通信切断を行い、前記ローカル監視制御装置と通信接続したとき、前記ローカル監視制御装置による監視制御を開始したことを、前記ローカル監視制御装置と通信切断したとき、前記ローカル監視制御装置による監視制御が終了したことを、前記集中監視制御装置に通知するローカル管理部を有する
請求項１記載の通信装置。
【請求項７】
前記第２ネットワークは、近距離無線通信における無線接続により構築されたネットワークである
請求項１記載の通信装置。
【請求項８】
端末装置による無線通信を中継する通信装置における被監視制御方法であって、
集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信し、
前記ローカル監視制御装置による監視制御中は、前記受信したメッセージのうち、前記第１監視制御用メッセージを破棄する
被監視制御方法。
【発明の詳細な説明】
【技術分野】
【０００１】
本発明は、通信装置及び被監視制御方法に関する。
【背景技術】
【０００２】
無線通信システムの一部の基地局装置は、無線部（以下、ＲＲＨ（Remote Radio Head）と呼ぶ）とベースバンド制御部（以下、ＢＢＵ（Base Band Unit）と呼ぶ）を物理的に離れた位置に配置される。例えば、ＲＲＨを建物の中や山間部に配置させることで、端末装置は障害物などの影響を受けることなく無線通信を行うことができる。
【０００３】
無線通信システムは、基地局装置、及びＲＲＨ、ＢＢＵなどの基地局関連装置（以下、通信装置と呼ぶ場合がある）に障害が発生した場合、遠隔から障害を復旧させる集中監視制御装置を有する。集中監視制御装置は、通信装置の障害を監視し、リセットなどの制御を行うことで、通信装置の障害を復旧させる。
【０００４】
また、集中監視制御装置による遠隔制御を行っても、通信装置に発生した障害が復旧しない場合、例えば、無線通信システムの保守者は、障害が発生している通信装置の設置場所に赴き、障害の解析、復旧を行う。その場合、保守者は、ローカル監視制御装置を通信装置に接続し、集中監視制御装置で取得可能な情報以外の、詳細な情報（例えば、メモリの内容や電源供給の状態など）を通信装置から取得する。
【０００５】
特にＲＲＨは、従来の基地局装置より小型であり、周囲の環境の影響を受けやすく、故障が多い。さらに、ＲＲＨは、建物の屋上など、人目に付きづらい場所に設置されることが多く、ＢＢＵとの接続が断線しているなど、障害が発生していてもわかりづらいことがある。そのため、保守者は、ＲＲＨが接続されている設置場所に赴き、詳細な情報の取得や、周囲の環境の確認などを行う。
【０００６】
このように、無線通信システムでは、各通信装置の設置場所で、ローカル監視制御装置を使用した障害の復旧を行う場合がある。
【０００７】
設置場所での障害の復旧に関する技術は、以下の特許文献１に記載されている。
【先行技術文献】
【特許文献】
【０００８】
【特許文献１】特開２００２−１１７１３４
【特許文献２】特開２００３−２２０９０６
【発明の概要】
【発明が解決しようとする課題】
【０００９】
しかし、ローカル監視制御装置により通信装置の監視制御を行う場合、集中監視制御装置からの監視制御との競合を防止するため、通信装置を無線通信システムから分離する。この場合、通信装置が無線通信システムから分離されるため、通信装置の本来の処理である、端末装置の無線通信を中継する無線通信を実行できない。
【００１０】
そこで、ローカル監視制御装置による制御を行っていても、無線通信を継続できる通信装置及び被監視制御方法を提供する。
【課題を解決するための手段】
【００１１】
１つの側面では、端末装置による無線通信を中継する通信装置であって、集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信する受信部と、  前記ローカル監視制御装置による監視制御中は、前記受信したメッセージのうち、前記第１監視制御用メッセージを破棄するメッセージ管理部とを有する。
【発明の効果】
【００１２】
一開示は、ローカル監視制御装置による制御を行っていても、無線通信を継続できる。
【図面の簡単な説明】
【００１３】
【図１】図１は、通信システム１０の構成例を示す図である。
【図２】図２は、ＲＲＨ２００の構成例を示す図である。
【図３】図３は、集中監視制御装置４００の構成例を示す図である。
【図４】図４は、ＲＲＨ２００の制御装置切替処理のシーケンスの例を示す図である。
【図５】図５は、制御装置切替処理Ｓ１０７の処理フローチャートの例を示す図である。
【図６】図６は、ローカル監視制御装置５００による制御中における、ＲＲＨ２００のメッセージ受処理のシーケンスの例を示す図である。
【図７】図７は、ＲＲＨ２００のメッセージ受信処理の処理フローチャートの例を示す図である。
【図８】図８は、ＲＲＨ２００の構成例を示す図である。
【図９】図９は、ＲＲＨ２００を現地に初期設置するときのシーケンスの例を示す図である。
【図１０】図１０は、ＲＲＨ２００が運用中の、ローカル監視制御装置５００による監視制御処理のシーケンスの例を示す図である。
【発明を実施するための形態】
【００１４】
［第１の実施の形態］
＜通信システムの構成例＞
図１は、通信システム１０の構成例を示す図である。通信システム１０は、集中監視制御装置４００、専用ネットワーク７００、外部ネットワーク８００、ＢＢＵ３００−１〜ｃ（以下、ＢＢＵ３００と呼ぶ場合がある）及び基地局装置（例えば、ＬＴＥにおけるｅＮｏｄｅＢ）６００−１〜ｎ（以下、基地局装置６００と呼ぶ場合がある）を有する。また、ＢＢＵ３００それぞれは、ＲＲＨ−１−１〜ａ及びＲＲＨ２００−ｃ−１〜ｄ（以下、ＲＲＨ２００と呼ぶ場合がある）の、複数のＲＲＨ２００を有する。さらに、ＲＲＨ２００それぞれは、端末装置１００−１−１〜ｂ及び端末装置１００−ｃ−１〜ｅ（以下、端末装置１００と呼ぶ場合がある）の、１又は複数の端末装置を有する。同様に、基地局装置６００−１〜ｎそれぞれは、端末装置１００−ｎ−１〜ｍ（以下、端末装置１００と呼ぶ場合がある）の１又は複数の端末装置１００を有する。通信システム１０は、例えば、ＬＴＥ（Long Term Evolution）又はＬＴＥ−Ａ（LTE-Advance）の通信規格に準じた無線通信システムである。
【００１５】
端末装置１００は、ＲＲＨ２００又は基地局装置６００と無線接続し、ＢＢＵ３００及び専用ネットワーク７００を介して、外部ネットワークと無線通信を行う。専用ネットワーク７００は、通信システム１０専用の回線構成されるネットワークである。例えば、通信システム１０がＬＴＥである場合、専用ネットワーク７００は、ゲートウェイやＭＭＥ（Mobility Management Entity）などで構成される。
【００１６】
端末装置１００がＲＲＨ２００を介して外部ネットワーク８００と無線通信する場合、ＲＲＨ２００、ＢＢＵ３００、及び専用ネットワーク７００それぞれの間で、無線通信に使用する無線通信用メッセージＭ１が送受信される。同様に、端末装置１００が基地局装置６００を介して外部ネットワーク８００と無線通信する場合、基地局装置６００及び専用ネットワーク７００それぞれの間で、無線通信に使用する無線通信用メッセージＭ１が送受信される。
【００１７】
無線通信用メッセージＭ１は、例えば、端末装置１００が通信先の装置と送受信するユーザデータが含まれる。また、無線通信用メッセージは、ハンドオーバ、接続、切断などの呼制御情報が含まれる。
【００１８】
また、通信システム１０において、集中監視制御装置４００は、ＲＲＨ２００、ＢＢＵ３００、及び基地局装置６００（以下、ＲＲＨ２００、ＢＢＵ３００、及び基地局装置６００のそれぞれを、監視制御対象装置と呼ぶ場合がある）を監視制御する。集中監視制御装置４００は、例えば、監視制御対象装置に障害発生していないかどうかを監視する。そして、集中監視制御装置４００は、監視制御対象装置に障害発生していると、障害の内容に応じた処理を行うよう監視制御対象装置を制御する。例えば、監視制御対象装置に重大な障害が発生している場合、集中監視制御装置４００は、監視制御対象装置に対してリセットするように指示する。また、集中監視制御装置４００は、自装置が有する、又は接続する表示部に、故障が発生したことを保守者伝えるメッセージや画像などを表示する。これにより、通信システム１０の監視制御対象装置は、障害から復旧することができ、無線通信の処理を継続することができる。
【００１９】
しかし、集中監視制御装置４００の監視制御を行っても、監視制御対象装置が障害から復旧しない場合、通信システム１０の保守者は、ローカル監視制御装置５００を障害が発生している監視制御対象装置と接続し、監視制御を行う。ローカル監視制御装置５００は、例えば、有線又はワイファイ（Wi-Fi：Wireless Fidelity）などの近距離無線通信で、監視制御対象装置（図１ではＲＲＨ２００−１−１）と接続される。また、ローカル監視制御装置５００は、集中監視制御装置４００が取得することができる以上の情報を取得することができる。
【００２０】
通信システム１０は、多くの監視制御対象装置を有するため、集中監視制御装置４００は、全ての監視制御対象装置から詳細な障害情報を取得すると、受信する情報量が増大するとともに、受信した情報を分析する処理負荷も増大する。また、通信システム１０内で送受信されるデータ量も増大する。そこで、集中監視制御装置４００は、詳細な障害情報ではなく、簡易的な障害情報を受信することで、処理負荷の増大や通信システム１０のデータ送受信量の増大を防止している。また、例えば、監視制御対象装置は、異なるベンダーにより提供されることがあり、どこまで詳細な障害情報を取得できるかは、ベンダーに依存する。同様に、ローカル監視制御装置５００は、例えば、異なるベンダーにより提供されることがあり、ベンダー特有のログを取得することができる。
【００２１】
そこで、ローカル監視制御装置５００は、集中監視制御装置４００が取得できない詳細な障害情報（例えば、ベンダー特有のログ）を取得する機能を実装し、簡易的な障害情報では対処できない障害が発生した場合の障害復旧手段として、通信システム１０の保守者に利用される。また、保守者は、ローカル監視制御装置５００を接続するため、監視制御対象装置の設置場所に赴くことで、監視制御対象装置の設置場所の周囲の環境（温度、湿度など）を確認することもできる。
【００２２】
集中監視制御装置４００が、監視制御対象装置の監視制御を行う場合、ＲＲＨ２００、ＢＢＵ３００、基地局装置６００、及び専用ネットワーク７００それぞれの間で、監視制御に使用する監視制御用メッセージＭ２が送受信される。監視制御用メッセージＭ２は、例えば、監視制御対処装置に対する、リセットの指示や、運用パラメータの変更要求である。
【００２３】
また、ローカル監視制御装置５００が、監視制御対象装置の監視制御を行う場合、監視制御対象装置（例えば、図１におけるＲＲＨ２００−１−１）との間に、監視制御用メッセージＭ３が送受信される。監視制御用メッセージＭ３は、例えば、監視制御対象装置に対する、ベンダー独自のログの取得要求や、メモリ内容の取得要求である。
【００２４】
また、図１に示すように、監視制御対象装置は、無線通信用メッセージＭ１と、監視制御用メッセージＭ２を、同じネットワークから受信する。さらに、図１に示すように、監視制御対象装置は、ローカル監視制御装置が接続されている場合、監視制御用メッセージＭ１とＭ２の、２つの監視制御用メッセージを同時に受信する。
【００２５】
監視制御対象装置は、ローカル監視制御装置５００と集中監視制御装置４００の両装置から、それぞれ相反する監視制御用メッセージを受信すると、両方の監視制御用メッセージに応じた処理を同時行うことができない場合がある。例えば、一方の監視制御用メッセージが送信出力を上げる運用パラメータの変更で、もう一方の監視制御用メッセージが送信出力を下げる運用パラメータの変更である場合、監視制御対象装置は、両方の監視制御メッセージに応じた処理を行うことができない。
【００２６】
そこで、監視制御対象装置は、自装置を監視制御している装置（以降、制御装置と呼ぶ場合がある）が、集中監視制御装置４００又はローカル監視制御装置５００のどちらであるかを管理する。そして、監視制御対象装置は、制御装置がローカル監視制御装置５００である場合、非常手段での障害復旧作業を行っているため、集中監視制御装置４００が送信する監視制御用メッセージを破棄する。
【００２７】
また、監視制御対象装置は、破棄する監視制御用メッセージを受信するネットワークから、監視制御用メッセージ以外のメッセージ（例えば、無線通信用メッセージ）を受信しても、破棄をしない。監視制御対象装置は、同じネットワークで受信するメッセージのうち、破棄する対象の監視制御用メッセージのみ破棄することで、監視制御対象装置が有する本来の処理である無線通信を中継する処理を継続することができる。
【００２８】
なお、集中監視制御装置４００は、多くの監視制御対象装置を監視制御しているため、個別の監視制御対象装置に対して、監視制御用メッセージの送受信を停止するような処理を行うことは困難である。特に、ＲＲＨ２００は接続数が膨大であることに加え、ＢＢＵ３００を介して監視制御されるため、個別のＲＲＨ２００に対する監視制御用メッセージの送受信を停止することはより困難である。そのため、本実施の形態においては、監視制御用メッセージを受信する末端の装置である監視制御対象装置（特にＲＲＨ２００）が、監視制御用メッセージを破棄する処理を行う。それにより、障害が発生していない他の監視制御対象装置は、通常の運用中と同様に、監視制御対象メッセージを受信することができる。以下、第１の実施の形態では、ＲＲＨ２００を監視制御対象装置の例として説明する。
【００２９】
＜ＲＲＨの構成例＞
図２は、ＲＲＨ２００の構成例を示す図である。ＲＲＨ２００は、例えば、無線通信システムの基地局装置における、無線信号の送受信を行う装置である。ＲＲＨ２００は、ＣＰＵ（Central Processing Unit）２１０、ストレージ２２０、ＤＲＡＭ（Dynamic Random Access Memory）などのメモリ２３０、ＲＦ（Radio Frequency）回路２４０、アンテナ２５０、ＮＩＣ（Network Interface Card）２６０、及び無線ＬＡＮ（Local Area Network）２７０を有する。
【００３０】
ストレージ２２０は、プログラムやデータを記憶するＨＤＤ（Hard Disk Drive）やＳＳＤ（Solid State Drive）などの補助記憶装置である。ストレージ２２０は、無線通信プログラム２２１、被監視制御プログラム２２２、ローカル監視制御装置接続制御プログラム２２３、制御装置切替プログラム２２４、メッセージ受信プログラム２２５、及び制御装置情報２２６を記憶する。
【００３１】
制御装置情報２２６は、制御装置に関する情報を記憶する。ＲＲＨ２００は、ローカル監視制御装置５００又は集中監視制御装置４００のどちらか一方に監視制御される。制御装置とは、ＲＲＨ２００を監視制御している装置であり、ローカル監視制御装置５００により監視制御されている場合はローカル監視制御装置５００を、集中監視制御装置４００により監視制御されている場合は集中監視制御装置４００を示す。制御装置情報２２６は、例えば、制御装置であるローカル監視制御装置５００又は集中監視制御装置４００の、識別子やＩＰ（Internet Protocol）アドレスなどが記憶される。
【００３２】
メモリ２３０は、ストレージ２２０に記憶されているプログラムをロードする領域である。また、メモリ２３０は、プログラムがデータを記憶する領域としても使用される。
【００３３】
ＲＦ回路２４０は、電波の送受信を実現する装置である。ＲＦ回路２４０は、アンテナ２５０を介して、例えば、端末装置１００と電波の送受信を行う。
【００３４】
ＮＩＣ２６０は、ＢＢＵ３００と接続し、通信を行う装置である。ＮＩＣ２６０は、例えば、異なるネットワーク同士の通信を中継するゲートウェイ装置、複数の基地局装置を制御する基地局制御、及びスイッチやハブなどと、有線で接続する。また、例えば、ＮＩＣ２６０とＢＢＵ３００間は、光ケーブルを介して、ＣＰＲＩ（Common Public Radio Interface）によるインターフェースで接続する。
【００３５】
無線ＬＡＮ２７０は、ローカル監視制御装置５００とワイファイなどの無線ＬＡＮの規格に準じて接続する、近距離無線通信用の接続装置である。無線ＬＡＮ２７０は、例えば、既定の周波数でパイロット信号を送信し、当該パイロット信号を受信したローカル監視制御装置５００からの接続要求に応答し、ローカル監視制御装置５００と無線接続する。ＲＲＨ２００は、建物の屋上、狭い空間、及び人が安易に立ち入れない場所に設置されることが多い。そのため、ワイファイ接続することにより、ローカル監視制御装置５００から少し離れた場所（無線ＬＡＮ通信が可能な距離だけ離れた場所。例えば、最小２メートルから最大１００メートル離れた場所。）で、ＲＲＨ２００の監視制御が可能となる。なお、ローカル監視制御装置５００との接続は、有線であってもよい。
【００３６】
ＣＰＵ２１０は、無線通信プログラム２２１を実行することで、無線通信処理部を構築し、無線通信処理を行う。無線通信処理は、端末装置１００の無線通信を中継する処理である。ＣＰＵ２１０は、無線通信処理において、端末装置１００から受信したデータパケットを、送信先の装置送信するため、ＢＢＵ３００に送信する。また、ＣＰＵ２１０は、無線通信処理において、ＢＢＵ３００から受信した端末装置１００宛てのパケットを、端末装置１００に送信する。さらに、ＣＰＵ２１０は、無線通信処理において、ＢＢＵ３００から受信した、例えばハンドオーバ指示などの呼制御用メッセージを、端末装置１００に送信する。
【００３７】
また、ＣＰＵ２１０は、被監視制御プログラム２２２を実行することで、被監視制御部を構築し、被監視制御処理を行う。被監視制御処理は、制御装置から受信した監視制御用メッセージに対応した処理である。被監視制御処理は、制御装置の指示により、リセットを行ったり、運用パラメータを変更したりする。また、被監視制御処理は、制御装置の要求により、例えば、発生しているアラームの状態を通知したり、障害の詳細な情報を通知したりする。
【００３８】
また、ＣＰＵ２１０は、ローカル監視制御装置接続制御プログラム２２３を実行することで、ローカル接続管理部を構築し、ローカル監視制御装置接続制御処理を行う。ローカル監視制御装置接続管理処理は、ローカル監視制御装置の接続状態を管理し、ローカル監視制御装置との接続及び切断を行う。ＣＰＵ２１０は、ローカル監視制御装置接続制御処理において、接続モジュール２２３１を実行することで、ローカル監視制御装置との接続する接続処理を行い、切断モジュール２２３２を実行することで、ローカル監視制御装置との切断する切断処理を行う。
【００３９】
また、ＣＰＵ２１０は、制御装置切替プログラム２２４を実行することで、制御装置切替処理を行う。制御装置切替処理は、制御装置をローカル監視制御装置５００又は集中監視制御装置４００に切り替え、後述する制御装置情報２２６に記憶する処理である。
【００４０】
さらに、ＣＰＵ２１０は、メッセージ受信プログラム２２５を実行することで、受信部とメッセージ管理部を構築し、メッセージ受信処理を行う。メッセージ受信処理は、ＲＲＨ２００に送信されたメッセージを受信し、受信したメッセージのうち、一部のメッセージを破棄する処理である。受信部は、例えば、メッセージ受信処理において、ローカル監視制御装置５００、集中監視制御装置４００、ＢＢＵ３００、及び端末装置１００からメッセージを受信する。メッセージ管理部は、例えば、メッセージ受信処理において、受信したメッセージのうち、制御装置がローカル監視制御装置５００である場合、集中監視制御装置４００から受信した監視制御用メッセージの破棄を行う。
【００４１】
なお、基地局装置６００及びＢＢＵ３００が監視制御対象装置である場合、基地局装置６００及びＢＢＵ３００は、ＲＲＨ２００が有するローカル監視制御装置接続制御プログラム２２３、制御装置切替プログラム２２４、メッセージ受信プログラム２２５と同等のプログラム、及び制御装置情報２２６と同等の記憶領域を有する。
【００４２】
＜集中監視制御装置の構成例＞
図３は、集中監視制御装置４００の構成例を示す図である。集中監視制御装置４００は、監視制御対象装置を監視制御する装置であり、例えば、コンピュータである。集中監視制御装置４００は、ＣＰＵ４１０、ストレージ４２０、ＤＲＡＭなどのメモリ４３０、ＮＩＣ４６０、表示部４８０、及び入力装置４９０を有する。
【００４３】
ストレージ４２０は、プログラムやデータを記憶するＨＤＤやＳＳＤなどの補助記憶装置である。ストレージ４２０は、監視制御プログラム４２１、制御装置切替通知受信プログラム４２２を記憶する。
【００４４】
メモリ４３０は、ストレージ４２０に記憶されているプログラムをロードする領域である。また、メモリ４３０は、プログラムがデータを記憶する領域としても使用される。
【００４５】
ＮＩＣ４６０は、専用ネットワーク７００を介して、監視制御対象装置と接続し、通信を行う装置である。ＮＩＣ４６０は、例えば、異なるネットワーク同士の通信を中継するゲートウェイ装置、及びスイッチやハブなどと、有線で接続する。
【００４６】
表示部４８０は、例えば、集中監視制御装置４００のユーザ（通信システム１０の管理者や保守者）に対して、メッセージや画像を表示するディスプレイである。図３において、集中監視制御装置４００は表示部４８０を有するが、接続用ポートを介して、別装置のディスプレイと接続してもよい。集中監視制御装置４００は、例えば、監視制御対象装置からアラームを受信したとき、表示部４８０に受信したアラームをユーザに通知するためのメッセージや画像を表示する。
【００４７】
入力装置４９０は、例えば、集中監視制御装置４００のユーザが使用するキーボードである。ユーザは、例えば、表示部４８０に表示された監視制御対象装置のアラームの内容を解析し、発生した障害が復旧するための制御内容を決定し、入力装置４９０を使用して集中監視制御装置４００に監視制御対象装置に監視制御用メッセージを送信させる。
【００４８】
ＣＰＵ４１０は、監視制御プログラム４２１を実行することで、監視制御処理を行う。監視制御処理は、監視制御対象装置に発生した障害を監視し、障害が復旧するように制御する処理である。
【００４９】
また、ＣＰＵ４１０は、制御装置切替通知受信プログラム４２２を実行することで、制御装置切替通知受信処理を行う。制御装置切替通知受信処理は、受信した通知内容を画面に表示する処理である。
【００５０】
＜制御装置切替処理＞
図４は、ＲＲＨ２００の制御装置切替処理のシーケンスの例を示す図である。制御装置切替処理は、ＲＲＨ２００の制御装置を、集中監視制御装置４００とするか、ローカル監視制御装置５００とするかを切り替える処理である。シーケンス開始時、ローカル監視制御装置５００はＲＲＨ２００と未接続であり、ＲＲＨ２００の制御装置は集中監視制御装置４００であり、ＲＲＨ２００は集中監視制御装置４００による制御中（Ｓ１０１）である。
【００５１】
ＲＲＨ２００は、障害が発生すると（Ｓ１０２）、ＢＢＵ３００を介して集中監視制御装置４００に障害情報通知を送信する（Ｓ１０３）。障害情報通知は、発生した障害の内容や障害発生時間などの情報を含む。集中監視制御装置４００は、障害発生通知を受信すると、表示部に障害内容を表示する。集中監視制御装置４００の表示部を確認したユーザは、例えば、リセットなどの制御をＲＲＨ２００に対して行う。ユーザは、集中監視制御装置４００からの制御を行っても、ＲＲＨ２００の障害が復旧しない場合、例えば、電話などでローカル監視制御装置５００のユーザに連絡し、集中監視制御装置４００からでは復旧できない障害が、ＲＲＨ２００に発生していることを伝える。そして、ローカル監視制御装置５００のユーザは、ＲＲＨ２００に障害発生していることを認識する（Ｓ１０４）。
【００５２】
ローカル監視制御装置５００のユーザは、ＲＲＨ２００に発生している障害を復旧するため、ＲＲＨ２００にローカル監視制御装置５００を接続する。ローカル監視制御装置５００は、ＲＲＨ２００に接続要求を送信する（Ｓ１０５）。ＲＲＨ２００は、接続要求を受信すると、ローカル監視制御装置５００との接続処理を行い、接続が完了すると、ローカル監視制御装置５００に接続完了を送信する（Ｓ１０５）。ＲＲＨ２００は、ローカル監視制御装置５００と接続すると、制御装置切替処理を行う（Ｓ１０７）。
【００５３】
図５は、制御装置切替処理Ｓ１０７の処理フローチャートの例を示す図である。ＲＲＨ２００は、制御装置をローカル監視制御装置５００へ切り替えるトリガを検出するまで（Ｓ２０１のＮｏ）、集中監視制御装置４００を制御装置とする。ＲＲＨ２００は、制御装置をローカル監視制御装置５００へ切り替えるトリガを検出すると（Ｓ２０１のＹｅｓ）、制御装置切替通信（開始）を集中監視制御装置４００に送信し（Ｓ２０２）、ローカル監視制御装置５００によるＲＲＨ２００の監視制御が開始することを通知する。そして、ＲＲＨ２００は、制御装置情報２２６を、ローカル監視制御装置５００を示す情報に更新する（Ｓ２０３）。制御装置をローカル監視制御装置５００に切り替えるトリガ、ローカル監視制御装置５００と有線、又は無線で通信接続されたことである。制御装置をローカル監視制御装置５００への切り替えるトリガは、例えば、有線で接続する場合、ローカル監視制御装置５００が接続されたことを示す信号の検出である。また、制御装置をローカル監視制御装置５００へ切り替えるトリガは、例えば、ワイファイなどの無線接続である場合、無線接続処理の完了である。さらに、制御装置をローカル監視制御装置５００へ切り替えるトリガは、例えば、ローカル監視制御装置５００による監視制御が開始されることを示すメッセージ（例えば、接続要求）を、ローカル監視制御装置５００から受信することであってもよい。
【００５４】
そして、ＲＲＨ２００は、制御装置を集中監視制御装置４００へ切り替えるトリガを検出するまで（Ｓ２０４のＮｏ）、ローカル監視制御装置５００を制御装置とする。
【００５５】
ＲＲＨ２００は、制御装置を集中監視制御装置４００に切り替えるトリガを検出すると（Ｓ２０４のＹｅｓ）、制御装置切替通知（終了）を集中監視制御装置４００に送信し（Ｓ２０５）、ローカル監視制御装置５００によるＲＲＨ２００の監視制御が終了したことを通知する。そして、ＲＲＨ２００は、制御装置情報２２６を、集中監視制御装置４００を示す情報に更新する（Ｓ２０６）。制御装置を集中監視制御装置４００に切り替えるトリガは、例えば、ローカル監視制御装置５００との切断完了である。また、制御装置を集中監視制御装置４００に切り替えるトリガは、例えば、ローカル監視制御装置５００による監視制御を終了することを示すメッセージを、ローカル監視制御装置５００から受信することであってもよい。
【００５６】
そして、集中監視制御装置４００による制御中となったＲＲＨ２００は、制御装置をローカル監視制御装置５００に切り替えるトリガを監視する。
【００５７】
図４に戻り、ＲＲＨ２００は、制御装置切替処理において、制御装置切替通知（開始）を集中監視制御装置４００に送信し（Ｓ１０８）、ローカル監視制御装置５００による制御中となる（Ｓ１０９）。
【００５８】
ローカル監視制御装置５００は、ＲＲＨ２００で発生している障害を復旧するめの監視制御処理を行う（Ｓ１１０）。障害を復旧するための監視制御処理Ｓ１１０は、例えば、ローカル監視制御装置５００からの監視制御用メッセージの送信である（Ｓ１１０１）。ＲＲＨ２００は、受信した監視制御用メッセージに応じた被監視制御処理を行い、対応する処理を行ったことを示す監視制御用メッセージ受付をローカル監視制御装置５００に送信する（Ｓ１１０２）。監視制御用メッセージは、例えば、強制的に運用パラメータを書き換えたり、内部メモリをクリアしたりすることを指示するメッセージである。
【００５９】
ローカル監視制御装置５００は、ＲＲＨ２００の障害が復旧したこと、あるいは障害が復旧できないことを確認すると、ＲＲＨ２００に切断要求を送信し（Ｓ１１１）、ＲＲＨ２００との接続を切断する。ＲＲＨ２００は、切断要求を受信すると、切断処理を行い、切断が完了すると、ローカル監視制御装置５００による監視制御が終了したことを示す制御装置切替通知（終了）を集中監視制御装置４００に送信する（Ｓ１１２）。そして、ＲＲＨ２００は、制御装置切替処理Ｓ１０７により、制御装置を集中監視制御装置４００に切り替え、集中監視制御装置４００による制御中となる（Ｓ１１３）。
【００６０】
なお、ローカル監視制御装置５００とＲＲＨ２００の通信接続を切断し忘れると、集中監視制御装置４００による監視制御が長時間実施されない場合がある。集中監視制御装置４００は、例えば、全ての監視制御対象装置の障害情報や、通信データ量や発生した通信数などのトラヒックに関する情報を取得する場合がある。情報収集の観点から、ＲＲＨ２００が長時間にわたり集中監視制御装置４００からの監視制御用メッセージを破棄し続けることは、集中監視制御装置４００にとって好ましくない。よって、ＲＲＨ２００は、所定時間以上ローカル監視制御装置５００の制御が継続していることを検出した場合、ローカル監視制御装置５００との通信接続の切断し、制御装置を集中監視制御装置４００に切り替える処理を行ってもよい。
【００６１】
＜メッセージ受信処理＞
ＲＲＨ２００は、メッセージを受信したとき、制御装置がどちらの装置（ローカル監視制御装置５００及び集中監視制御装置４００）であるかに応じて、特定のメッセージを破棄するメッセージ受信処理を行う。
【００６２】
図６は、ローカル監視制御装置５００による制御中における、ＲＲＨ２００のメッセージ受処理のシーケンスの例を示す図である。以下、ＲＲＨ２００の制御装置がローカル監視制御装置５００である場合の、メッセージ受信処理について説明する。
【００６３】
また、図７は、ＲＲＨ２００のメッセージ受信処理の処理フローチャートの例を示す図である。図６のシーケンスの説明において、図７の処理フローチャートを用いて説明する。
【００６４】
ＲＲＨ２００は、ローカル監視制御装置５００による制御中に（Ｓ３０１）、集中監視制御装置４００から監視制御用メッセージを受信する（Ｓ３０２）。監視制御用メッセージは、集中監視制御装置４００がＲＲＨ２００を監視制御するためのメッセージであり、例えば、リセット指示や運用パラメータの変更要求が含まれる。図7の処理フローチャートにおいて、ＲＲＨ２００は、メッセージを受信すると（Ｓ４０１のＹｅｓ）、制御装置がローカル監視制御装置５００かどうかを確認する（Ｓ４０２）。図６のシーケンスにおいては、制御装置はローカル監視制御装置５００である（Ｓ４０２のＹｅｓ）。なお、ＲＲＨ２００は、制御装置が集中監視制御装置４００である場合（Ｓ４０２のＮｏ）、受信メッセージを破棄せず、メッセージ受信処理を終了し、メッセージの受信待ちとなる。
【００６５】
ＲＲＨ２００は、受信したメッセージが、ローカル監視制御装置５００以外の装置が送信した監視制御用メッセージかどうかを確認する（Ｓ４０３）。ＲＲＨ２００は、例えば、受信したメッセージの送信元のＩＰアドレスや、送信元の装置の識別子を確認することで、ローカル監視制御装置５００が送信したメッセージかどうかを確認する。また、ＲＲＨ２００は、ＢＢＵ３００を接続している側のネットワーク、すなわち、ローカル監視制御装置５００が接続するネットワークとは異なるネットワークから受信したメッセージは、ローカル監視制御装置５００以外が送信したメッセージであると判定してもよい。さらに、ＲＲＨ２００は、例えば、受信したメッセージのメッセージ種別が、ＲＲＨ２００を制御することを示す種別であるかどうかを確認することで、制御用メッセージかどうかを確認する。図６のシーケンスにおいては、ＲＲＨ２００は、ローカル監視制御装置５００以外の装置である集中監視制御装置４００から監視制御用メッセージを受信している（Ｓ４０３のＹｅｓ）。よって、ＲＲＨ２００は、受信したメッセージ（監視制御用メッセージ）を破棄する（Ｓ３０３、Ｓ４０４）。
【００６６】
なお、ＲＲＨ２００は、処理Ｓ４０３にて、ローカル監視制御装置５００以外の装置が送信したメッセージであることに加え、監視制御用メッセージであるかどうかも同時に確認する。しかし、集中監視制御装置４００が、監視制御用メッセージしか送信しない場合、ＲＲＨ２００は、送信元装置が集中監視制御装置４００であることだけを確認し、受信したメッセージを破棄してもよい。
【００６７】
また、ＲＲＨ２００は、ＢＢＵ３００から監視制御用メッセージを受信する（Ｓ３０４）。集中監視制御装置４００の判断なしに、ＢＢＵ３００とＲＲＨ２００間で解決しても問題ないような軽微な障害である場合、ＢＢＵ３００が自律的に監視制御用メッセージを送信する場合がある。図７の処理フローチャートにおいて、制御装置がローカル監視制御装置５００かどうかを確認する処理Ｓ４０２までは、上述と同様である。なお、以下のシーケンスに説明において、処理Ｓ４０２までは同様であるため、説明を割愛する。
【００６８】
ＲＲＨ２００は、受信したメッセージが、ローカル監視制御装置５００以外の装置が送信した監視制御用メッセージかどうかを確認する（Ｓ４０３）。図６のシーケンスにおいては、ＲＲＨ２００は、ローカル監視制御装置５００以外の装置であるＢＢＵ３００から制御用メッセージ（制御コマンド）を受信している（Ｓ４０３のＹｅｓ）。よって、ＲＲＨ２００は、受信したメッセージ（監視制御用メッセージ）を破棄する（Ｓ３０５、Ｓ４０４）。
【００６９】
また、ＲＲＨ２００は、ローカル監視制御装置５００から監視制御用メッセージを受信する（Ｓ３０６）。ＲＲＨ２００は、受信したメッセージが、ローカル監視制御装置５００以外の装置が送信した制御用メッセージかどうかを確認する（Ｓ４０３）。図６のシーケンスにおいては、ＲＲＨ２００は、ローカル監視制御装置５００からメッセージを受信している（Ｓ４０３のＮｏ）。よって、ＲＲＨ２００は、受信したメッセージを破棄せず、受信した監視制御用メッセージに応じた処理を行い、監視制御用メッセージ受付をローカル監視制御装置５００に送信する（Ｓ３０７）。
【００７０】
また、ＲＲＨ２００は、ＢＢＵ３００から無線通信用メッセージを受信する（Ｓ３０８）。無線通信用データは、例えば、端末装置１００が他の装置と無線通信する、音声データや動画データなどのユーザデータである。ＲＲＨ２００は、端末装置１００の無線通信を中継する機能を実行しており、ユーザデータを受信する場合がある。
【００７１】
ＲＲＨ２００は、受信したメッセージが、ローカル監視制御装置５００以外の装置が送信した制御用メッセージかどうかを確認する（Ｓ４０３）。図６のシーケンスにおいては、ＲＲＨ２００は、ローカル監視制御装置５００以外であるＢＢＵ３００からメッセージを受信しているが、監視制御用メッセージではなく無線通信用メッセージを受信している（Ｓ４０３のＮｏ）。よって、ＲＲＨ２００は、受信した無線通信用メッセージを破棄せず、受信した無線通信用メッセージ（ユーザデータ）を、端末装置１００に送信する（Ｓ３０９）。
【００７２】
また、ＲＲＨ２００は、端末装置１００から無線通信用メッセージを受信する（Ｓ３１０）。上述したように、ＲＲＨ２００は、端末装置１００の無線通信を中継する機能を実行しており、無線通信用メッセージを受信する場合がある。
【００７３】
ＲＲＨ２００は、受信したメッセージが、ローカル監視制御装置５００以外の装置が送信した制御用メッセージかどうかを確認する（Ｓ４０３）。図６のシーケンスにおいては、ＲＲＨ２００は、ローカル監視制御装置５００以外である端末装置１００からメッセージを受信しているが、監視制御用メッセージではなく無線通信用メッセージを受信している（Ｓ４０３のＮｏ）。よって、ＲＲＨ２００は、受信したメッセージを破棄せず、受信した無線通信用メッセージを送信先装置に中継するため、ＢＢＵ３００に受信した無線通信用メッセージを送信する（Ｓ３１１）。
【００７４】
第１の実施の形態では、ローカル監視制御装置５００がＲＲＨ２００に接続されると、ＲＲＨ２００は、集中監視制御装置４００やＢＢＵ３００から受信する監視制御用メッセージを破棄する。一方で、ＲＲＨ２００は、ローカル監視制御装置５００が接続されても、ＢＢＵ３００及び集中監視制御装置４００から受信した監視制御用メッセージ以外の無線通信用メッセージを受信し、受信したメッセージに応じた無線通信処理を行う。これにより、ＲＲＨ２００は、本来の機能である端末装置１００の無線通信を中継する機能を停止することなく、ローカル監視制御装置５００による監視制御を実行することができる。
【００７５】
［第２の実施の形態］
次に、第２の実施の形態について説明する。第２の実施の形態では、監視制御対象装置は、工場出荷から現地での設置までのログを取得する。さらに、監視制御対象装置は、ローカル監視制御装置５００や集中監視制御装置４００により監視制御された内容についてのログを記憶する。以下、監視制御対象装置がＲＲＨ２００の場合を例として説明する。
【００７６】
＜ＲＲＨの構成例＞
図８は、ＲＲＨ２００の構成例を示す図である。ＲＲＨ２００は、さらに、ＲＦポート２４１、温度計２８０、湿度計２８１、振動計２８２、及びＲＦタグ２９０を有する。
【００７７】
ＲＦポート２４１は、ＲＦ回路２４０とアンテナ２５０を接続するコネクタである。ＲＦポート２４１は、アンテナ２５０、またはアンテナ２５０と接続されるケーブルと接続する。ＲＦポート２４１は、例えば、ＲＲＨ２００の筐体の外側に配置されるため、他の物と衝突することによる振動が発生しやすく、ＲＲＨ２００の筐体の内側に配置される装置より故障しやすい。
【００７８】
温度計２８０は、ＲＲＨ２００の周辺の温度を測定する計器である。温度計２８０は、ＲＲＨ２００の周辺の温度を測定するため、例えば、ＲＲＨ２００の筐体に貼り付けられる。また、温度計２８０は、ＲＲＨ２００の内部温度の影響を受けづらくするため、例えば、高熱を発生する可能性のあるＣＰＵ２１０と所定の距離以上離れた場所に配置される。測定する温度単位は、摂氏Ｘ度（℃）、又は華氏Ｙ度（Ｋ）である。ＲＲＨ２００は、ベンダーごとに規定温度があり、規定温度外にＲＲＨ２００が置かれた場合、ＲＲＨ２００が故障したり、正常動作しなかったりする。ＲＲＨ２００が規定温度外に置かれた場合、例えば、ベンダーによる無料交換の対象とならない。規定温度は、例えば、摂氏の場合、−３０℃から５５℃である。
【００７９】
湿度計２８１は、ＲＲＨ２００の周辺の湿度を測定する計器である。湿度計２８１は、例えば、ＲＲＨ２００の内部に水が入ったことをチェックするための水漏れシールであってもよい。水漏れシールの色が変色することで、ＲＲＨ２００の内部に水が入ったことを認識し、故障の要因の一つであると判定することができる。
【００８０】
振動計２８２は、ＲＲＨ２００にかかる振動を測定する計器である。振動計２８２は、振動により特に故障が発生しやすい、ＲＦポート２４１に接するように設置される。振動は、所定期間内にどれくらいの力が加わったかを示し、単位はミリ毎秒毎秒（ｍ／ｓ２）である。ＲＲＨ２００は、ベンダーごとに規定振動値があり、規定振動値を超えた振動がＲＲＨ２００に加わると、規定温度外にＲＲＨ２００が置かれたときと同様に、故障が発生しても、無料交換の対象とならない。規定振動値は、例えば、１１ミリ秒の期間における１００ミリ毎秒毎秒の振動である。
【００８１】
温度計２８０、湿度計２８１、及び振動計２８２は、例えば、それぞれが電源を有する。または、温度計２８０、湿度計２８１、及び振動計２８２は、例えば、出荷用の箱に設置されている非接触型の外部電源から電源を供給する。すなわち、温度計２８０、湿度計２８１、及び振動計２８２は、工場出荷から設置場所への輸送中であっても、測定することができる。
【００８２】
温度計２８０及び湿度計２８１は、定期的に温度及び湿度を、ストレージ２２０が有するログ情報２２８に記憶する。また、振動計２８２は、所定の値以上の振動を測定すると、発生した振動の度合いをログ情報２２８に記憶する。これにより、ＲＲＨ２００が工場出荷された以降のログを取得することができる。出荷以降のログを取得することで、例えば、経年劣化によるＲＲＨ２００の故障であるか、ベンダーが装置を無料交換する規定範囲外の温度、湿度や、規定値以上の振動が加わる環境に、ＲＲＨ２００が置かれたことが要因で故障が発生したかを切り分けることができる。
【００８３】
ストレージ２２０は、さらに、ログ制御プログラム２２７を有する。ＣＰＵ２１０は、ログ制御プログラム２２７を実行することで、ログ制御処理を実行する。ログ制御処理は、ローカル監視制御装置５００の要求に応じて、ログの読み出し及び書き込みをする処理である。
【００８４】
ログは、ログ情報２２８に記憶される。ログ情報２２８に記憶される情報は、上述したように、温度計２８０、湿度計２８１、振動計２８２の測定結果や、ローカル監視制御装置５００の作業内容である。さらに、ログ情報２２８は、ＲＲＨ２００で発生した障害に関する障害情報（ベンダー独自の情報も含む）を記憶されてもよい。
【００８５】
また、ＣＰＵ２１０は、ローカル監視制御装置５００からログ書込要求を受信すると、ログ書込モジュール２２７１を実行し、ログ書き込み処理を行う。ログ書き込み処理は、ローカル監視制御装置５００の作業内容（例えば、ローカル監視制御装置５００がどのような監視制御コマンドを実行したかの履歴）を、ログ情報２２８に記憶する処理である。
【００８６】
さらに、ＣＰＵ２１０は、ローカル監視制御装置５００からログ読出要求を受信すると、ログ読出モジュール２２７２を実行し、ログ読み出し処理を行う。ログ読み出し処理は、ローカル監視制御装置５００の要求により、ログ情報２２８に記憶するログを読み出す処理である。
【００８７】
ＲＦタグ２９０は、ＲＲＨ２００の識別子を記憶する記憶装置である。識別子は、例えば、ＲＲＨ２００の製造番号やシリアル番号など、ＲＲＨ２００を一意に識別できる数値や符号である。また、ＲＦタグ２９０は、ローカル監視制御装置５００を無線ＬＡＮで接続するときのパスワードを記憶してもよい。また、ＲＦタグは、例えば、電池を内蔵したアクティブタグや、専用リーダから受信する電波を電源として動作するパッシブタグである。
【００８８】
＜ＲＲＨ初期設置処理＞
図９は、ＲＲＨ２００を現地に初期設置するときのシーケンスの例を示す図である。以下、図９のシーケンスについて説明する。
【００８９】
ＲＲＨ２００は、工場出荷から現地まで輸送され、例えば、現地の保守担当者によって、通信システム１０内に設置される（Ｓ５０１）。そして、保守担当者は、ＲＦタグを読み出すための専用リーダを使用し、ＲＲＨ２００のＲＦタグの情報を読み出す（Ｓ５０２）。なお、設置処理Ｓ５０１と情報読み出し処理Ｓ５０２の実行順は、逆であってもよい。
【００９０】
ローカル監視制御装置５００は、保守担当者により、ＲＲＨ２００と接続される。ローカル監視制御装置５００は、接続要求をＲＲＨ２００に送信する（Ｓ５０３）。ＲＲＨ２００は接続処理を行い、接続完了をローカル監視制御装置５００に送信し（Ｓ５０４）、集中監視制御装置４００に制御装置切替通知（開始）を送信する（Ｓ５０５）。そして、ＲＲＨ２００は、ローカル監視制御装置５００による制御中となる（Ｓ５０６）。
【００９１】
ローカル監視制御装置５００が接続されると、保守担当者は、ＲＲＨ２００の現地試験を行う（Ｓ５０７）。現地試験は、例えば、ＢＢＵ３００とＲＲＨ２００との間に、通信用のセッションを確立できることの確認や、ＲＲＨ２００が無線信号を送信することの確認など、ＲＲＨ２００が適切に通信システム１０内で機能するかどうかを確認する試験である。現地試験では、ローカル監視制御装置５００からＲＲＨ２００に監視制御メッセージ（図示しない）を送信することで、監視制御を行う。
【００９２】
現地試験が終了すると、ローカル監視制御装置５００は、例えば保守担当者によって、作業情報書込要求を送信する（Ｓ５０８）。ＲＲＨ２００は、作業情報書込要求に従い、作業情報（ログ）をログ情報２２８に記憶する。作業情報は、例えば、ローカル監視制御装置５００が送信した監視制御用コマンドの名称、送信時間、送信結果などの履歴である。作業情報は、ローカル監視制御装置５００により、作業情報書込要求に含まれる。また、作業情報は、ＲＲＨ２００が、受信した監視制御用コマンドを記憶しておき、記憶した情報から生成してもよい。
【００９３】
ローカル監視制御装置５００は、作業情報の記憶が完了すると、ローカル監視制御装置５００に、作業情報書込完了を送信する（Ｓ５１０）。
【００９４】
ローカル監視制御装置５００は、現地試験及び作業情報の書込が完了すると、ローカル監視制御装置５００での監視制御を終了するため、ＲＲＨ２００と通信切断する。ローカル監視制御装置５００は、ＲＲＨ２００に切断要求を送信する（Ｓ５１１１）。ＲＲＨ２００は、ローカル監視制御装置５００と切断し、集中監視制御装置４００に、制御装置切替通知（終了）を送信し（Ｓ５１２）、集中監視制御装置４００による制御中となる（Ｓ５１３）。
【００９５】
＜運用中監視制御処理＞
図１０は、ＲＲＨ２００が運用中の、ローカル監視制御装置５００による監視制御処理のシーケンスの例を示す図である。
【００９６】
接続要求送信からローカル監視制御装置５００による制御中となるまで（Ｓ６０１〜Ｓ６０４）について、図９の処理Ｓ５０３からＳ５０６と同様である。
【００９７】
ローカル監視制御装置５００は、ＲＲＨ２００からログを読み出す。ローカル監視制御装置５００は、ＲＲＨ２００にログ読出要求を送信する（Ｓ６０５）。ログ読出要求は、読み出すログの種別に関する情報が含まれる。ログの種別は、例えば、所定期間に実施された作業内容、ベンダー独自の障害の詳細な情報、又は温度、湿度、振動の履歴などである。
【００９８】
ＲＲＨ２００は、ログ情報２２８から指定されたログを読み出し（Ｓ６０６）、読み出した内容をログ読出完了に含め、ローカル監視制御装置５００に送信する（Ｓ６０７）。
【００９９】
ローカル監視制御装置５００は、受信したログを解析し、例えば、ＲＲＨが正常に運用されているか、又は障害の状態が復旧したかなどを判定する。ローカル監視制御装置５００は、判定結果に応じて、ＲＲＨ２００に監視制御用メッセージ（図示しない）を送信する。
【０１００】
ローカル監視制御装置５００は、ＲＲＨ２００の監視制御を終了すると、ＲＲＨ２００と切断する。なお、ローカル監視制御装置５００は、切断する前に、作業情報書込要求を送信し、作業情報をＲＲＨ２００に記憶させてもよい。
【０１０１】
ローカル監視制御装置５００による切断要求の送信からＲＲＨ２００が集中監視制御装置４００による制御中になるまで（Ｓ６０９〜Ｓ６１１）は、図９の処理Ｓ５１１から処理Ｓ５１３と同様である。
【０１０２】
第２の実施の形態では、温度計や振動計などの測定装置をＲＲＨ２００に設置することで、工場出荷から現地で設置されるまでに、ＲＲＨ２００が置かれていた周囲の環境や発生した振動などを取得することができる。これにより、例えば、ベンダーが無料で交換することを保証する規定温度を超える環境にＲＲＨ２００が置かれていたことをログに記憶することができ、ベンダーは無料保証しなくてよい場合がある。
【０１０３】
また、振動計２８２は、振動で故障することが多いＲＦポート２４１に接して設置することで、ＲＦポート２４１に発生した振動を測定する。このように、振動計２８２を振動に弱い個所に設置することで、振動による故障発生を正確に把握することできる。
【０１０４】
第２の実施の形態では、さらに、ＲＦタグにＲＲＨ２００の識別子を記憶する。これにより、例えば、ＲＲＨ２００の外側に、商品ラベルが印刷されたシールを貼り付けなくてよい。ＲＦタグにすることで、例えば、ＲＲＨ２００の小型化により、商品ラベルを貼り付けるスペースがない場合でも、ＲＦタグを設置することで、識別子の読み出しが可能となる。また、ＲＲＨ２００が、輸送中など、箱に入れられている場合でも、ＲＦタグを箱に入れたまま、箱の外からＲＦタグを読み出すことが可能であり、商品ラベルの目視での確認が不要となる。
【０１０５】
以上の第１及び第２の実施の形態を含む実施形態に関し、更に以下の付記を開示する。
【０１０６】
（付記１）
端末装置による無線通信を中継する通信装置であって、
集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信する受信部と、
前記ローカル監視制御装置による監視制御中は、前記受信したメッセージのうち、前記第１監視制御用メッセージを破棄するメッセージ管理部とを有する
通信装置。
【０１０７】
（付記２）
前記メッセージ管理部は、前記ローカル監視制御装置による監視制御中である場合は、前記第１監視制御用メッセージ以外の前記受信したメッセージを破棄せず、前記ローカル監視制御装置による監視制御中でない場合は、前記受信したメッセージを破棄せず、
さらに、前記破棄しないメッセージに応じた処理を実行する処理部を有する
付記１記載の通信装置。
【０１０８】
（付記３）
前記集中監視制御装置は、複数の通信装置と通信接続し、前記複数の通信装置に対して前記第１監視制御用メッセージを送信する
付記１記載の通信装置。
【０１０９】
（付記４）
前記集中監視制御装置は、前記複数の通信装置の前記無線通信の中継を制御し、前記無線通信において送受信するメッセージのベースバンド処理を行うベースバンド制御装置である
付記３記載の通信装置。
【０１１０】
（付記５）
前記無線通信用メッセージは、前記無線通信おいて送受信される通信用データと、前記無線通信を呼制御する呼制御用データを含む
付記１記載の通信装置。
【０１１１】
（付記６）
前記処理部は、前記無線通信用メッセージが前記通信用データである場合、前記受信した無線通信用メッセージを前記端末装置に送信し、前記無線通信用メッセージが前記呼制御データである場合、前記受信した呼制御データに従い、前記無線通信を呼制御する
付記５記載の通信装置。
【０１１２】
（付記７）
前記メッセージ管理部は、前記ローカル監視制御装置が前記第２ネットワークで通信接続された場合、前記ローカル監視制御装置による監視制御中であると判定する
付記１記載の通信装置。
【０１１３】
（付記８）
さらに、前記ローカル監視制御装置との通信接続及び通信切断を行い、前記ローカル監視制御装置と通信接続したとき、前記ローカル監視制御装置による監視制御を開始したことを、前記ローカル監視制御装置と通信切断したとき、前記ローカル監視制御装置による監視制御が終了したことを、前記集中監視制御装置に通知するローカル管理部を有する
付記１記載の通信装置。
【０１１４】
（付記９）
前記第２ネットワークは、近距離無線通信における無線接続により構築されたネットワークである
付記１記載の通信装置。
【０１１５】
（付記１０）
端末装置による無線通信を中継する通信装置における被監視制御方法であって、
集中監視制御装置が送信する前記通信装置を監視制御するための第１監視制御用メッセージと前記無線通信に使用する無線通信用メッセージとを、第１ネットワークを介して受信し、ローカル監視制御装置が送信する第２監視制御用メッセージを、第２ネットワークを介して受信し、
前記ローカル監視制御装置による監視制御中は、前記受信したメッセージのうち、前記第１監視制御用メッセージを破棄する
被監視制御方法。
【符号の説明】
【０１１６】
１０…通信システム            １００…端末装置
２００…ＲＲＨ                ２１０…ＣＰＵ
２２０…ストレージ            ２２１…無線通信プログラム
２２２…被監視制御プログラム  ２２３…ローカル監視制御装置接続制御プログラム
２２３１…接続モジュール      ２２３２…切断モジュール
２２４…制御装置切替プログラム２２５…メッセージ受信プログラム
２２６…制御装置情報          ２２７…ログ制御プログラム
２２７１…ログ書込モジュール  ２２７２…ログ読出モジュール
２２８…ログ情報              ２３０…メモリ
２４０…ＲＦ回路              ２４１…ＲＦポート
２５０…アンテナ              ２６０…ＮＩＣ
２７０…無線ＬＡＮ            ２８０…温度計
２８１…湿度計                ２８２…振動計
２９０…ＲＦタグ              ３００…ＢＢＵ
４００…集中監視制御装置      ４１０…ＣＰＵ
４２０…ストレージ            ４２１…監視制御プログラム
４２２…制御装置切替通知受信プログラム
４３０…メモリ                ４６０…ＮＩＣ
４８０…表示部                ４９０…入力装置
５００…ローカル監視制御装置  ６００…基地局装置
７００…専用ネットワーク      ８００…外部ネットワーク
【図１】
2018056640.tif 000003
【図２】
2018056640.tif 000004
【図３】
2018056640.tif 000005
【図４】
2018056640.tif 000006
【図５】
2018056640.tif 000007
【図６】
2018056640.tif 000008
【図７】
2018056640.tif 000009
【図８】
2018056640.tif 000010
【図９】
2018056640.tif 000011
【図１０】
2018056640.tif 000012